(57)【要約】【課題】より意匠性を向上させることが可能な照明装置および照明装置の組立方法を得る。【解決手段】照明装置１は、灯具本体２と灯具保持部材５とを備える。灯具保持部材５は、取付部６１ａを有し、被設置部Ｃ１側から灯具本体２を支持する支持部材６と、支持部材６に取り付けられて、被設置部Ｃ１側から灯具本体２を押さえる押さえ部材７と、押さえ部材７を支持部材６に取り付ける締結部材９５と、を備える。そして、取付部６１ａが上側となるように配置した状態で、締結部材９５よりも下方から照明装置１を見た場合に、締結部材９５が、灯具本体２の外表面２ａおよび灯具保持部材５の外表面５ａのうち少なくともいずれか一方の外表面によって隠されるようにした。【選択図】図１０
2020140864.tif 000002
【特許請求の範囲】
【請求項１】
光源と、前記光源が内部に配置され、前記光源から照射される光の透過を許容しつつ外部からの内部の透視が抑制されるパネル部と、を有する灯具本体と、
前記灯具本体が保持された状態で被設置部に取り付けられる灯具保持部材と、
を備え、
前記灯具保持部材は、
前記被設置部に取り付けられる取付部を有し、前記被設置部側から前記灯具本体を支持する支持部材と、
前記支持部材に取り付けられて、前記被設置部側から前記灯具本体を押さえる押さえ部材と、
前記押さえ部材を前記支持部材に取り付ける締結部材と、
を備え、
前記灯具本体が保持された前記灯具保持部材を前記取付部が上側となるように配置した状態で、前記締結部材よりも下方から前記灯具本体および前記灯具保持部材を見た場合に、前記締結部材が、前記灯具本体の外表面および前記灯具保持部材の外表面のうち少なくともいずれか一方の外表面によって隠されていることを特徴とする照明装置。
【請求項２】
前記灯具本体が保持された前記灯具保持部材を前記取付部が上側となるように配置した状態で、前記灯具本体により照射される照射空間における前記締結部材よりも下側の任意の位置から前記灯具本体および前記灯具保持部材を見た場合に、前記締結部材が、前記灯具本体の外表面および前記灯具保持部材の外表面のうち少なくともいずれか一方の外表面によって隠されていることを特徴とする請求項１に記載の照明装置。
【請求項３】
前記支持部材には、前記押さえ部材に向けて突出する突部が形成されており、前記押さえ部材には、壁部により画成されて前記突部が挿入される凹部が形成されており、
前記突部が前記凹部内に挿入された状態で、前記凹部が前記支持部材の壁部によって隠されており、
前記凹部を画成する壁部と前記突部とが前記締結部材により締結されることで、前記押さえ部材が前記支持部材に取り付けられることを特徴とする請求項１または請求項２に記載の照明装置。
【請求項４】
前記灯具保持部材が、一方向に延在して前記支持部材に連結される連結部を備えていることを特徴とする請求項１〜３のうちいずれか１項に記載の照明装置。
【請求項５】
前記連結部は、前記支持部材とは別部材で形成されており、
前記灯具本体が保持された前記灯具保持部材を前記取付部が上側となるように配置した状態で、前記締結部材よりも下方から前記灯具本体および前記灯具保持部材を見た場合に、前記連結部と前記支持部材との固定部が、前記灯具本体の外表面および前記灯具保持部材の外表面のうち少なくともいずれか一方の外表面によって隠されていることを特徴とする請求項４に記載の照明装置。
【請求項６】
前記一方向に離間した状態で配置される複数の前記支持部材を備えており、
１つの前記灯具本体が前記被設置部側からそれぞれの支持部材に支持されており、
複数の前記支持部材のそれぞれに前記押さえ部材が取り付けられており、
前記連結部が、前記一方向で互いに隣り合う支持部材の間に連結されていることを特徴とする請求項４または請求項５に記載の照明装置。
【請求項７】
前記パネル部が複数の部材に分割されており、前記灯具保持部材を構成する部材が前記複数の部材の端縁に沿って配置されていることを特徴とする請求項４〜６のうちいずれか１項に記載の照明装置。
【請求項８】
前記パネル部が、前記被設置部側から前記支持部材に支持される第１パネルと、前記被設置部側から前記第１パネルに載置されて、前記押さえ部材により押さえられる第２パネルと、を備えており、
前記一方向と交差する方向で対向する前記第１パネルの端縁と前記第２パネルの端縁とが、側面視で前記連結部により隠されていることを特徴とする請求項７に記載の照明装置。
【請求項９】
前記パネル部が、前記一方向に並設される複数の前記第１パネルを備えており、
前記第１パネルの前記一方向の端縁が、裏面視で前記支持部材により隠されていることを特徴とする請求項８に記載の照明装置。
【請求項１０】
前記パネル部が、前記一方向に並設される複数の前記第２パネルを備えており、
前記第２パネルの前記一方向の端縁が、平面視で前記押さえ部材により隠されていることを特徴とする請求項８または請求項９に記載の照明装置。
【請求項１１】
前記パネル部が、前記灯具保持部材に保持された状態で前記灯具保持部材よりも外側に突出する突出部を備えていることを特徴とする請求項８〜１０のうちいずれか１項に記載の照明装置。
【請求項１２】
前記突出部が前記第１パネルに一体に形成されており、前記突出部の前記一方向の端縁が、平面視で前記押さえ部材により隠されていることを特徴とする請求項１１に記載の照明装置。
【請求項１３】
請求項１〜１２のうちいずれか１項に記載の照明装置の組立方法であって、
前記支持部材に前記灯具本体を前記被設置部側から支持する灯具本体支持工程と、
前記支持部材に支持された前記灯具本体を前記押さえ部材によって前記被設置部側から押さえる灯具本体押さえ工程と、
前記灯具本体を前記押さえ部材によって前記被設置部側から押さえた状態で、前記押さえ部材を前記締結部材によって前記支持部材に取り付ける押さえ部材取付工程と、
を備えることを特徴とする照明装置の組立方法。
【発明の詳細な説明】
【技術分野】
【０００１】
本開示は、照明装置および照明装置の組立方法に関する。
【背景技術】
【０００２】
従来、照明装置として、照明器具をアームに取り付け、照明器具が取り付けられたアームを天井などの被設置部に取り付けるようにしたものが知られている（例えば、特許文献１参照）。
【先行技術文献】
【特許文献】
【０００３】
【特許文献１】特開２０１７−０９１７９５号公報
【発明の概要】
【発明が解決しようとする課題】
【０００４】
しかしながら、上記従来の技術では、照明装置を天井などの被設置部に取り付けた状態で、照明器具とアームとの締結箇所であるボルトが見えてしまうため、意匠性が悪化してしまうという問題があった。
【０００５】
そこで、本開示は、より意匠性を向上させることが可能な照明装置および照明装置の組立方法を得ることを目的とする。
【課題を解決するための手段】
【０００６】
本開示にかかる照明装置は、光源と、前記光源が内部に配置され、前記光源から照射される光の透過を許容しつつ外部からの内部の透視が抑制されるパネル部と、を有する灯具本体を備えている。さらに、照明装置は、前記灯具本体が保持された状態で被設置部に取り付けられる灯具保持部材を備えている。また、前記灯具保持部材は、前記被設置部に取り付けられる取付部を有し、前記被設置部側から前記灯具本体を支持する支持部材を備えている。さらに、前記灯具保持部材は、前記支持部材に取り付けられて、前記被設置部側から前記灯具本体を押さえる押さえ部材と、前記押さえ部材を前記支持部材に取り付ける締結部材と、を備えている。そして、以下の状態のときに、前記締結部材が、前記灯具本体の外表面および前記灯具保持部材の外表面のうち少なくともいずれか一方の外表面によって隠されるようにしている。その状態とは、前記灯具本体が保持された前記灯具保持部材を前記取付部が上側となるように配置した状態で、前記締結部材よりも下方から前記灯具本体および前記灯具保持部材を見た場合である。
【０００７】
また、本開示にかかる照明装置の組立方法は、上記照明装置を組み立てる方法である。そして、照明装置の組立方法は、前記支持部材に前記灯具本体を前記被設置部側から支持する灯具本体支持工程を備えている。また、照明装置の組立方法は、前記支持部材に支持された前記灯具本体を前記押さえ部材によって前記被設置部側から押さえる灯具本体押さえ工程を備えている。さらに、照明装置の組立方法は、前記灯具本体を前記押さえ部材によって前記被設置部側から押さえた状態で、前記押さえ部材を前記締結部材によって前記支持部材に取り付ける押さえ部材取付工程を備えている。
【発明の効果】
【０００８】
本開示によれば、より意匠性を向上させることが可能な照明装置および照明装置の組立方法を得ることができる。
【図面の簡単な説明】
【０００９】
【図１】照明装置の一例を模式的に示す斜視図である。
【図２】被設置部に取り付けられた照明装置を模式的に示す側面図である。
【図３】照明装置の分解斜視図である。
【図４】光源を灯具台に取り付けた状態を模式的に示す図である。
【図５】灯具台とボックスとを取り付ける状態を説明する分解斜視図である。
【図６】灯具台が取り付けられたボックスを、通線パネルに取り付けられたボックス受け金具に取り付けた状態を模式的に示す側面図である。
【図７】照明装置の組立方法の一例を説明する斜視図である。
【図８】保持部に下部パネルを取り付けた状態を示す断面図である。
【図９】支持部材と押さえ部材との締結部位および支持部材と連結部材との締結部位を拡大して示す斜視図である。
【図１０】照明装置の横断面図である。
【図１１】灯具保持部材の変形例を模式的に示す斜視図である。
【発明を実施するための形態】
【００１０】
以下、本実施にかかる照明装置について、図面を参照しながら詳細に説明する。なお、以下では、照明装置として、天井から吊り下げられた状態で固定される天井吊り下げ型の照明装置を例示するとともに、光源としてＬＥＤ光源を用いたものを例示する。
【００１１】
また、以下では、天井から吊り下げられた状態における灯具本体（パネル部）の長手方向をＸ方向、上下方向をＺ方向、幅方向をＹ方向として説明する。
【００１２】
本実施形態にかかる照明装置１は、外部に光を照射する灯具本体２を備えており、この灯具本体２が、屋内の部屋Ｓを画成する天井（被設置部）Ｃ１に固定された灯具保持部材５によって吊り下げられた状態で保持されている（図１および図２参照）。すなわち、照明装置１は、灯具本体２と、天井Ｃ１に固定されて、灯具本体２を保持する灯具保持部材５と、を備えている。
【００１３】
このように、灯具本体２は、灯具保持部材５に保持されて屋内の部屋Ｓ等を照射するものであり、照明装置１が設置される屋内の部屋Ｓ等が灯具本体２からの光が照射される照射空間となっている。なお、本実施形態にかかる照明装置１は、例えば、建物の軒先等に設置して屋外を照射する屋外用の照明装置として用いることも可能である。
【００１４】
灯具本体２は、光源としてのＬＥＤ３１を有する光源部３と、光源部３が内部に配置され、ＬＥＤ（光源）３１から照射される光を外部に透過させることが可能なパネル部４と、を備えている。本実施形態では、図１および図１０に示すように、パネル部４は、Ｘ方向（一方向）に細長い直方体状に形成されている。そして、パネル部４は、横断面形状（ＹＺ平面に沿って切断した形状）が略菱形をしており、頂点部分が上下左右に配置された状態で、灯具保持部材５に保持されている。
【００１５】
一方、灯具保持部材５は、天井Ｃ１に取り付けられる吊りパイプ（支持部材）６と、吊りパイプ６に取り付けられる押さえ部材７と、吊りパイプ６に連結される横桟（連結部）８と、を組み付けることで形成されている。本実施形態では、吊りパイプ（支持部材）６と押さえ部材７とでパネル部４の全周（周囲）を囲う枠が形成されるようにしている。
【００１６】
ここで、本実施形態では、灯具保持部材５として、複数（４つ）の吊りパイプ６と、それぞれの吊りパイプ６に取り付けられる複数（４つ）の押さえ部材７と、隣り合う吊りパイプに連設される複数（６つ）の横桟８と、を備えるものを例示している。
【００１７】
具体的には、４つの吊りパイプ６をＸ方向に離間した状態で等間隔に配置し、それぞれの吊りパイプ６に押さえ部材７を取り付け、隣り合う吊りパイプ６のＹ方向（幅方向）の両側に横桟８を連結させることで灯具保持部材５を形成している（図１および図２参照）。
【００１８】
そして、照明装置１を組み立てた状態で、灯具保持部材５に形成された複数（４つ）の枠に１つのパネル部４を挿入することで灯具本体２を灯具保持部材５で保持しているような見た目となるようにしている。
【００１９】
なお、吊りパイプ６および押さえ部材７の数は、４つに限られるものではない。例えば、吊りパイプ６および押さえ部材７を１つだけ用いて灯具保持部材５を形成してもよいし、２つまたは３つの吊りパイプ６および押さえ部材７を用いて灯具保持部材５を形成してもよい。さらに、吊りパイプ６および押さえ部材７を５つ以上用いて灯具保持部材５を形成してもよい。また、横桟８の数も適宜設定することが可能である。
【００２０】
さらに、本実施形態では、吊りパイプ６とは別の部材を横桟８としたものを例示しているが、横桟８は、吊りパイプ６に一体に形成されていてもよい。なお、横桟８を用いずに灯具保持部材５を形成することも可能である。
【００２１】
光源部３は、本実施形態では、ＬＥＤ３１と、ＬＥＤ３１をパネル４内の空間に配置されているように見せるための保持部材３２と、を備えている。
【００２２】
ＬＥＤ３１は、図１〜図３に示すように、Ｘ方向（パネル４の長手方向）に細長い形状をしており、一対のＬＥＤ３１が、Ｙ方向（パネル４の幅方向）の両側に並ぶように配置されている。このようなＬＥＤ３１としては、例えば、ＬＥＤ素子が線状に並べて配置されたラインＬＥＤを用いることができるが、これに限られるものではない。
【００２３】
保持部材３２は、図３に示すように、吊りパイプ６に取り付けられており、ＬＥＤ３１に接続された電源ケーブル等の通線を行う空間が形成された通線用パイプ３３と、通線用パイプ３３を吊りパイプ６に取り付けるためのニップル３４と、を備えている。
【００２４】
なお、本実施形態では、吊りパイプ６は天井Ｃ１に取り付けられており、この吊りパイプ６内にも電源ケーブル等の通線を行う空間が形成されている。そして、通線用パイプ３３内の空間は、ニップル３４内の空間を介して吊りパイプ６内の空間と連通している。したがって、本実施形態では、通線用パイプ３３内の空間、ニップル３４内の空間および吊りパイプ６内の空間を通って、天井Ｃ１の裏側から電源ケーブル等の配線を引き出させるようになっている。
【００２５】
そして、天井Ｃ１の裏側から引き出された電源ケーブル等の配線を図示せぬ電源装置等に電気的に接続することで、ＬＥＤ３１への給電が行われるようにしている。
【００２６】
さらに、保持部材３２は、電源ケーブル等の配線が配置されるボックス３５と、ＬＥＤ３１が取り付けられて、ボックス３５に固定される灯具台３６と、通線用パイプ３３に固定され、ボックス３５を支持するためのボックス受け金具３７と、を備えている。
【００２７】
ボックス３５は、Ｘ方向（パネル部４の長手方向）に細長く延在する底壁３５１と、底壁３５１のＹ方向（幅方向）の両側からＺ方向の上方（天井面Ｃ１ａ側）に立ち上がるように連設された一対の側壁３５２と、を備えている（図３および図５参照）。
【００２８】
一方、灯具台３６は、Ｘ方向（パネル部４の長手方向）に細長く延在する天壁３６１と、天壁３６１のＹ方向（幅方向）の両側からＺ方向の下方に垂下するように連設された一対の側壁３６２と、を備えている（図５参照）。
【００２９】
そして、一対の側壁３６２の外面側にＬＥＤ３１が、主光軸方向が水平となるようにした状態で取り付けられている。具体的には、一対の側壁３６２には挿通孔３６２ａが形成されており、ボルト、ナット等の締結部材９０によってＬＥＤ３１がこの挿通孔３６２ａで固定されている（図４参照）。
【００３０】
また、灯具台３６は、図５に示すように、ボックス３５の上部開口を覆うようにしてボックス３５に取り付けられている。本実施形態では、ボックス３５には、一対の側壁３６２の上端に架け渡されるように架橋壁３５３が形成されており、この架橋壁３５３に挿通孔３５３ａが形成されている。一方、灯具台３６の天壁３６１における架橋壁３５３の挿通孔３５３ａと対応する部位には、挿通孔３６１ａが形成されている。そして、灯具台３６でボックス３５の上部開口を覆いつつ、挿通孔３６１ａと挿通孔３５３ａとを連通させた状態で、ボルト、ナット等の締結部材９１によって締結することで、灯具台３６をボックス３５に固定している（図５および図１０参照）。
【００３１】
ボックス受け金具３７は、略矩形板状をしており、中央部に通線用パイプ３３の上端が挿通される挿通孔３７ａが形成されている。そして、このボックス受け金具３７は、通線用パイプ３３の上端を挿通孔３７ａに挿通した状態で、ボルト、ナット等の締結部材９２によって締結することで、通線用パイプ３３に取り付けられている（図６参照）。
【００３２】
さらに、ボックス受け金具３７のＸ方向の両側には、それぞれ、ボックス３５の一端部が固定されている。具体的には、ボックス受け金具３７のＸ方向の両側には、一対の挿通孔３７ｂが挿通孔３７ａを間に挟むように形成されている。そして、ボックス３５の底壁３５１に形成された挿通孔３５１ａを挿通孔３７ｂに連通させた状態で、ボルト、ナット等の締結部材９３によって締結することで、ボックス３５の一端をボックス受け金具３７に固定している（図６参照）。
【００３３】
なお、本実施形態では、図６に示すように、１つのボックス受け金具３７には、２つのボックス３５が固定されるようになっている。すなわち、１つのボックス３５は、隣り合う吊りパイプ６にそれぞれ取り付けられた２つのボックス受け金具３７の間を架け渡すようにして固定されている。
【００３４】
パネル部４は、内側に配置されたＬＥＤ３１からの光を外部に照射する部材であり、上述したように、横断面形状（ＹＺ平面に沿って切断した形状）が略菱形をしている。
【００３５】
また、本実施形態では、パネル部４の外側からパネル部４の内部を見た際に、パネル部４内の透視が抑制されるようにしている。このようなパネル部４は、例えば、アクリル性のパネルの外面に和紙等を貼り付けることで形成することができる。こうすることで、パネル部４を覗いたときに、パネル部４の裏側に配置されている部材が透けて見えてしまうことを抑制できるようにしている。なお、黒色等の色付きの樹脂を用いてパネル部４を形成し、パネル部４の裏側に配置されている部材が透けて見えてしまうことを抑制できるようにしてもよい。
【００３６】
このように、本実施形態では、パネル部４を、ＬＥＤ（光源）３１から照射される光の透過を許容しつつ、外部からの内部の透視を抑制する部材として機能させている。
【００３７】
また、本実施形態では、パネル部４が複数の部材に分割されている。すなわち、複数の部材を用いて１つのパネル部４が形成されるようにしている。
【００３８】
具体的には、パネル部４は、上下に分割されており、下方に位置する下部パネル（第１パネル）４１と、上方に位置する上部パネル（第２パネル）４２と、を備えている。
【００３９】
下部パネル４１は、Ｘ方向（パネル４の長手方向）に沿って視た状態で、Ｖ字状となる本体部４１１を備えており、上部パネル４２は、Ｘ方向（パネル４の長手方向）に沿って視た状態で、略逆Ｖ字状となる本体部４２１を備えている。そして、上部パネル４２の本体部４２１の下端縁４２１ｂを下部パネル４１の本体部４１１の上端縁４１１ｃに突き当てることで、横断面形状（ＹＺ平面に沿って切断した形状）が略菱形となるパネル部４が形成されるようにしている。
【００４０】
このように、本実施形態では、上端縁４１１ｃがＺ方向（上下方向：一方向と交差する方向）で対向する第１パネルの端縁に相当し、下端縁４２１ｂがＺ方向（上下方向：一方向と交差する方向）で対向する第２パネルの端縁に相当している。
【００４１】
さらに、本実施形態では、複数枚の下部パネル４１を備えており、これらの下部パネル４１をＸ方向（パネル４の長手方向）に並設させるようにしている。具体的には、３枚の下部パネル４１を備えており、それぞれの下部パネル４１が、隣り合う吊りパイプ６の間を架け渡すようにして、吊りパイプ６に取り付けられるようにしている。
【００４２】
同様に、本実施形態では、複数枚の上部パネル４２を備えており、これらの上部パネル４２をＸ方向（パネル４の長手方向）に並設させるようにしている。具体的には、３枚の上部パネル４２を備えており、それぞれの上部パネル４２が、上側（被設置部側）から対応する下部パネル上に載置されるようにしている。本実施形態では、３枚の上部パネル４２は同一の形状をしている。
【００４３】
また、本実施形態では、パネル部４が、灯具保持部材５に保持された状態で灯具保持部材５よりもＸ方向の外側に突出する突出部を備えるようにしている。
【００４４】
具体的には、４つの吊りパイプ６のうちＸ方向の両端に配置される吊りパイプ（端側の吊りパイプ）６と、その隣に配置される吊りパイプ（中央側の吊りパイプ）６との間に配置される下部パネル４１に、延設部４１２を設けている。すなわち、３つの下部パネル４１のうちＸ方向の両側に配置される下部パネル４１が延設部４１２を有するようにしている。
【００４５】
本実施形態では、延設部４１２が形成された下部パネル４１は、本体部４１１の一方側の端縁４１１ａを中央側の吊りパイプ６上に載置した状態で、他方側の端縁４１１ｂが、端側の吊りパイプ６よりも外側に突出するように形成されている（図７参照）。そして、端側の吊りパイプ６よりも外側に突出した他方側の端縁４１１ｄには、略菱形の端壁部４１３が上方に向けて立ち上がるように一体に連設されている。すなわち、端壁部４１３の下側の辺部４１３ａが、端側の吊りパイプ６よりも外側に突出した他方側の端縁４１１ｄに一体に連結されている。この端壁部４１３は、パネル部４のＸ方向の両端を画成する壁部である。
【００４６】
さらに、端壁部４１３の上部には、Ｘ方向の内側に向けて延在する上壁部４１４が端壁部４１３に一体に連設されている。この上壁部４１４は、Ｘ方向（パネル４の長手方向）に沿って視た状態で、略逆Ｖ字状をしており、一方側の端縁４１４ｂが、端壁部４１３の上側の辺部４１３ｂに一体に連結されている。また、上壁部４１４は、側面視（Ｙ方向に沿って見た状態）で、他方側の端縁４１４ａが端側の吊りパイプ６と重なり合うように形成されている。さらに、上壁部４１４は、下端縁４１４ｃが本体部４１１の上端縁４１１ｃに一体に連結されている。
【００４７】
なお、上壁部４１４の他方側の端縁４１４ａは、この下部パネル４１上に載置される上部パネル４２の端縁４２１ｃとＸ方向で対向するように形成されている。そして、上壁部４１４の端縁４１４ａには、位置ずれ防止片４１５が下方に垂下するように連設されている。この位置ずれ防止片４１５は、下部パネル４１上に載置される上部パネル４２がＸ方向に位置ずれして上壁部４１４の内側に入り込んでしまうことを抑制するものである。
【００４８】
このように、本実施形態では、延設部４１２は、本体部４１１の一方側の端縁４１１ｄに一体に連設された端壁部４１３と、端壁部４１３および本体部４１１に一体に連設された上壁部４１４と、を備えている。そして、この延設部４１２を、灯具保持部材５に保持された状態で灯具保持部材５よりもＸ方向の外側に突出するパネル部４の突出部として機能させている。したがって、本実施形態では、突出部が下部パネル（第１パネル）４１に一体に形成されている。こうすれば、本体部４２１の下端縁４２１ｂを本体部４１１の上端縁４１１ｃに突き当てて、下部パネル４１上に上部パネル４２を載置した際に、上部パネル４２がＸ方向に移動してしまうことを、両側に形成された上壁部４１４によって抑制できるようになる。
【００４９】
吊りパイプ６は、天井（被設置部）Ｃ１に取り付けられる取付部６１ａがそれぞれ形成された一対の支柱部６１と、一対の支柱部６１の下部同士を連結し、上部にパネル部４（下部パネル４１）が載置されて支持される保持部６２と、を備えている（図３参照）。
【００５０】
この吊りパイプ６は、支柱部６１と保持部６２とが一体に形成されており、全体として略Ｕ字状をしている。そして、この吊りパイプ６は、例えば、鋼板を用いて形成することができる。ただし、吊りパイプ６は、様々な材料を用いて形成することができる。
【００５１】
支柱部６１は角筒状をしており、内部には、電源ケーブル等の通線を行う空間が形成されている。
【００５２】
保持部６２は、Ｘ方向に沿って見た状態で、略Ｖ字状をしており、天井面Ｃ１ａと対向する上壁６２１と、下壁６２２と、一対の側壁６２３と、を備えている。そして、上壁６２１、下壁６２２および一対の側壁６２３により画成された空間が内部に形成されており、この空間が支柱部６１の空間に連通されている。
【００５３】
このように、本実施形態では、吊りパイプ６は、角筒状の部材を下部がＶ字状となるように屈曲させた形状をしており、この吊りパイプ６の内部には、一方側の支柱部６１の上部から下方側の支柱部６１の上部まで連通する空間が形成されている。
【００５４】
そして、この保持部６２の上壁６２１のＹ方向の中央部（上壁６２１の最下部）に、上述した通線用パイプ３３がニップル３４を介して取り付けられている。
【００５５】
また、保持部６２の上壁６２１には、下部パネル４１が上側（被設置部側）から上壁６２１に当接した状態で固定（支持）されている。具体的には、保持部６２の上壁６２１には、挿通孔６２１ａが形成されており、下部パネル４１の本体部４１１には、挿通孔４１１ｂが形成されている。そして、下部パネル４１の本体部４１１を保持部６２の上壁６２１に上側から載置し、挿通孔４１１ｂを挿通孔６２１ａに連通させた状態で、ボルト、ナット等の締結部材９４によって締結することで、下部パネル４１を保持部６２に固定保持している（図８参照）。
【００５６】
なお、本実施形態では、図８に示すように、中央側の吊りパイプ６の保持部６２には、Ｘ方向に並設される２つの下部パネル４１の端部が取り付けられている。このとき、２つの下部パネル４１は、それぞれの本体部４１１の端縁４１１ａがＸ方向に離間した状態で対向するように、中央側の吊りパイプ６の保持部６２に取り付けられている。こうすることで、２つの下部パネル４１を、通線用パイプ３３やニップル３４に干渉させることなく中央側の吊りパイプ６の保持部６２に取り付けることができるようにしている。
【００５７】
また、本実施形態では、２つの下部パネル４１は、本体部４１１の端縁４１１ａが、側面視（Ｙ方向に沿って見た状態）で、保持部６２（吊りパイプ６）と重なり合うように、中央側の吊りパイプ６の保持部６２に取り付けられている。こうすることで、下部パネル（第１パネル）４１のＸ方向（一方向）の端縁４１１ａが、裏面視および側面視で吊りパイプ６の保持部６２により隠されるようにしている。
【００５８】
一方、端側の吊りパイプ６の保持部６２には、延設部４１２が形成された下部パネル４１のみが取り付けられている。具体的には、延設部４１２が形成された下部パネル４１の本体部４１１には、挿通孔４１１ｂの他に、通線用パイプ３３およびニップル３４が挿通される挿通孔（図示せず）が形成されている。
【００５９】
そして、この図示しない挿通孔に通線用パイプ３３およびニップル３４を挿通させた状態で、挿通孔４１１ｂを挿通孔６２１ａに連通させ、ボルト、ナット等の締結部材９４によって締結することで、下部パネル４１を保持部６２に固定保持している。このとき、延設部４１２が端側の吊りパイプ６よりもＸ方向の外側に突出し、かつ、側面視（Ｙ方向に沿って見た状態）で、上壁部４１４の他方側の端縁４１４ｂが端側の吊りパイプ６と重なり合うようにしている。また、本実施形態では、延設部４１２が形成された下部パネル４１のＸ方向の内側の端部は、端側の吊りパイプ６と隣り合う中央側の吊りパイプ６に取り付けられている。
【００６０】
このように、本実施形態では、３枚の下部パネル４１は、延設部４１２が形成された２枚の下部パネル４１と、延設部４１２が形成されていない１枚の下部パネル４１と、なっている。さらに、延設部４１２が形成された２枚の下部パネル４１は、同一の形状をしている。
【００６１】
そして、３枚の下部パネル４１は、延設部４１２がともにＸ方向の外側を向くように互いに反転させた下部パネル４１の間に、延設部４１２が形成されていない下部パネル４１が配置されるようにした状態で、４つの吊りパイプ６に支持されている。このとき、下部パネル４１の本体部４１１のＸ方向の端縁４１１ａは、隣り合う下部パネル４１の本体部４１１のＸ方向の端縁４１１ａと対向している。さらに、互いに対向する端縁４１１ａが、裏面視および側面視で中央側の吊りパイプ６の保持部６２によって、それぞれ隠されるようにしている。
【００６２】
そして、３枚の上部パネル４２のうちの２枚は、延設部４１２が形成された２枚の下部パネル４１上に載置されている。具体的には、上部パネル４２は、上端縁４１１ｃにおける上壁部４１４の下端縁４１４ｃが連結されていない部位に上部パネル４２の下端縁４２１ｂを突き当てることで、延設部４１２が形成された下部パネル４１上に載置されている。また、残りの１枚の上部パネル４２は、延設部４１２が形成されていない下部パネル４１上に、下端縁４２１ｂを上端縁４１１ｃに突き当てた状態で載置されている。
【００６３】
このとき、延設部４１２が形成された下部パネル４１上に載置された上部パネル４２は、一方の端縁４２１ａが、延設部４１２が形成されていない下部パネル４１上に載置された上部パネル４２の端縁４２１ａと対向することになる。そして、互いに対向する端縁４２１ａが、裏面視で中央側の吊りパイプ６の保持部６２によって、それぞれ隠されるようにしている。
【００６４】
また、延設部４１２が形成された下部パネル４１上に載置された上部パネル４２は、他方の端縁４２１ｃが、上壁部４１４の端縁４１４ａと対向することになる。そして、互いに対向する端縁４２１ａおよび端縁４１４ａが、裏面視で端側の吊りパイプ６の保持部６２によって、それぞれ隠されるようにしている。
【００６５】
さらに、本実施形態では、吊りパイプ６の保持部６２に、上方かつ内側に向けて（吊りパイプ６に取り付けられる押さえ部材７に向けて）突出する押さえ部材受け金具（突部）６２４が形成されている。
【００６６】
本実施形態では、この押さえ部材受け金具６２４は、保持部６２の上壁６２１における上部（支柱部６１との境界部分）に設けられており、横断面形状（ＹＺ平面に沿って切断した形状）が略台形をしている（図１０参照）。
【００６７】
そして、この押さえ部材受け金具６２４における隣り合う吊りパイプ６の保持部６２と対向する側に、挿通孔６２４ａが形成されている。すなわち、中央側の吊りパイプ６の保持部６２に形成された押さえ部材受け金具６２４には、Ｘ方向の両側に挿通孔６２４ａが形成されている。そして、端側の吊りパイプ６の保持部６２に形成された押さえ部材受け金具６２４には、Ｘ方向の一方側（内側）のみに挿通孔６２４ａが形成されている。なお、この押さえ部材受け金具６２４は、後述するように、押さえ部材７によって隠されるものであるため、端側の吊りパイプ６においても、Ｘ方向の両側に挿通孔６２４ａが形成されていてもよい。
【００６８】
また、本実施形態では、保持部６２の側壁６２３のうち隣り合う吊りパイプ６の保持部６２と対向する側壁６２３が対向壁６２５となっている。すなわち、中央側の吊りパイプ６の保持部６２では、一対の側壁６２３の両方が対向壁６２５となっている。そして、端側の吊りパイプ６の保持部６２では、一対の側壁６２３のうち一方側（内側）の側壁６２３が対向壁６２５となっている。
【００６９】
さらに、この対向壁６２５の上部（支柱部６１との境界部分）には、Ｘ方向に向けて突出する横桟受け金具（突部）６２６が形成されている。この横桟受け金具６２６は、横断面形状（ＹＺ平面に沿って切断した形状）が略菱形をしている。そして、横桟受け金具６２６は、横断面形状（ＹＺ平面に沿って切断した形状）が略菱形をしており、頂点部分が上下左右に配置された状態で、対向壁６２５から隣り合う吊りパイプ６側の対向壁６２３に向けて突設されている。
【００７０】
具体的には、中央側の吊りパイプ６の保持部６２には、対向壁６２５として機能する一対の側壁６２３の両方に横桟受け金具６２６が形成されている。そして、端側の吊りパイプ６の保持部６２には、対向壁６２５として機能する内側の側壁６２３のみに横桟受け金具６２６が形成されている。なお、本実施形態では、端側の吊りパイプ６の外側（延設部４１２が形成される部位）には、横桟８が設けられていない。そのため、端側の吊りパイプ６の保持部６２における対向壁として機能しない側壁６２３には、横桟受け金具６２６を形成しないようにするのが好ましい。
【００７１】
そして、横桟受け金具６２６のＹ方向（幅方向）の内側の上壁部分に挿通孔６２６ａが形成されている。
【００７２】
押さえ部材７は、吊りパイプ６に取り付けられる部材であり、吊りパイプ６に取り付けられた状態で、灯具本体２の上部パネル４２を上側から押さえ、保持部６２とでパネル部４を挟持して保持する部材である。
【００７３】
この押さえ部材７も、例えば、鋼板を用いて形成することができる。ただし、押さえ部材７も様々な材料を用いて形成することができる。
【００７４】
本実施形態では、押さえ部材７は、本体部７１を備えており、この本体部７１は、Ｘ方向（パネル４の長手方向）に沿って視た状態で、略逆Ｖ字状をしている。本体部７１は、上部パネル４２に当接する下壁７１１と、天井面Ｃ１ａと対向する上壁７１２と、一対の側壁７１３と、を備えている。そして、下壁７１１、上壁７１２および一対の側壁７１３により画成された空間が内部に形成されている。
【００７５】
さらに、本実施形態では、本体部７１の両端が開口しており、この両端の開口部分の内側に、押さえ部材受け金具６２４が挿入される収容凹部（凹部）７１４が形成されている。
【００７６】
このように、本実施形態では、押さえ部材７の本体部７１は、角筒状の部材を下部がＶ字状となるように屈曲させた形状をしている。
【００７７】
また、本実施形態では、本体部７１の側壁７１３のうち隣り合う吊りパイプ６に取り付けられる押さえ部材７の側壁７１３と対向する側壁７１３が対向壁７１５となっている。すなわち、中央側の吊りパイプ６に取り付けられる押さえ部材７では、一対の側壁７１３の両方が対向壁７１５となっている。そして、端側の吊りパイプ６に取り付けられる押さえ部材７では、一対の側壁７１３のうち一方側（内側）の側壁７１３が対向壁７１５となっている。
【００７８】
そして、本体部７１の対向壁７１５には、収容凹部７１４内に押さえ部材受け金具６２４を挿入した状態で挿通孔６２４ａに連通する挿通孔７１５ａが形成されている。
【００７９】
具体的には、中央側の吊りパイプ６に取り付けられる押さえ部材７には、対向壁７１５として機能する一対の側壁７１３の両方に挿通孔７１５ａが形成されている。そして、端側の吊りパイプ６に取り付けられる押さえ部材７には、対向壁７１５として機能する内側の側壁７１３のみに挿通孔７１５ａが形成されている。なお、端側の吊りパイプ６に取り付けられる押さえ部材７の外側の側壁７１３は、対向壁として機能しない側壁であるため、端側の吊りパイプ６に取り付けられる押さえ部材７の外側の側壁７１３には、挿通孔７１５ａが形成されないようにするのが好ましい。
【００８０】
そして、収容凹部７１４内に押さえ部材受け金具６２４を挿入して挿通孔６２４ａと挿通孔７１５ａとを連通させた状態で、ボルト、ナット等の締結部材９５によって締結することで、押さえ部材７を吊りパイプ６に取り付けている（図９参照）。
【００８１】
このとき、本実施形態では、本体部７１の先端が保持部６２の上壁６２１に当接するようにしている。こうすれば、押さえ部材受け金具６２４を押さえ部材７によって隠すことができる上、収容凹部７１４を保持部６２の上壁（壁部）６２１によって隠すことができるようになる。
【００８２】
さらに、本実施形態では、中央側の吊りパイプ６に押さえ部材７を取り付けた状態では、上部パネル４２の互いに対向する端縁４２１ａが、平面視で中央側の吊りパイプ６に取り付けられた押さえ部材７によって、それぞれ隠されるようにしている。
【００８３】
一方、端側の吊りパイプ６に押さえ部材７を取り付けた状態では、互いに対向する上部パネル４２の端縁４２１ａおよび端縁４１４ａが、平面視で端側の吊りパイプ６に取り付けられた押さえ部材７によって、それぞれ隠されるようにしている。
【００８４】
したがって、各吊りパイプ６に押さえ部材７を取り付けた状態では、３枚の下部パネル４１は、互いに対向するＸ方向の端縁や上壁部４１４のＸ方向の端縁が保持部６２および押さえ部材７によって隠された状態でＸ方向に並設されることになる。一方、３枚の上部パネル４２は、各上部パネルのＸ方向の端縁が押さえ部材７によって隠された状態でＸ方向に並設されることになる。
【００８５】
このように、本実施形態では、各吊りパイプ６に押さえ部材７を取り付けた状態では、Ｘ方向に分割されていないパネル部４が灯具保持部材５に保持されているように見せることができるようになっている。
【００８６】
横桟８は、互いに離間配置された吊りパイプ６を連結する筒状の部材であり、Ｘ方向に細長い角筒状をしている。この横桟８も、例えば、鋼板を用いて形成することができる。ただし、横桟８も様々な材料を用いて形成することができる。
【００８７】
本実施形態では、横桟８は、Ｘ方向に細長い角筒状の本体部８１を備えており、この本体部８１は、Ｘ方向の両端が開口している。そして、このＸ方向の両端の開口部分の内側に、横桟受け金具６２６が挿入される収容凹部８１ａが形成されている。
【００８８】
本体部８１は、内側下壁８２と、外側下壁８３と、内側上壁８４と、外側上壁８５と、を備えている。すなわち、本体部８１は、横断面形状（ＹＺ平面に沿って切断した形状）が略菱形をしており、頂点部分が上下左右に配置された状態で、保持部６２に連結されるようになっている。
【００８９】
具体的には、本体部８１の内側上壁８４には、収容凹部８１ａ内に横桟受け金具６２６を挿入した状態で挿通孔６２６ａに連通する挿通孔８４ａが形成されている。
【００９０】
そして、収容凹部８１ａ内に横桟受け金具６２６を挿入して挿通孔６２６ａと挿通孔８４ａとを連通させた状態で、ボルト、ナット等の締結部材９６によって締結することで、横桟８を保持部６２に連設している（図９参照）。
【００９１】
さらに、本実施形態では、横桟８を保持部６２に連設した状態で、上下方向（Ｚ方向：一方向と交差する方向）で対向する下部パネル４１の上端縁４１１ｃと上部パネル４２の下端縁４２１ｂとが、側面視で横桟８により隠されるようにしている。
【００９２】
したがって、横桟８を保持部６２に連設した状態では、下部パネル４１と上部パネル４２との境界部分が横桟８により隠されて、下部パネル４１と上部パネル４２との連結部が外から見え難くなっている。
【００９３】
このように、本実施形態では、横桟８を保持部６２に連設した状態では、Ｚ方向に分割されていないパネル部４が灯具保持部材５に保持されているように見せることができるようになっている。
【００９４】
以上説明したように、灯具保持部材５を構成する部材が、パネル部４を構成する複数の部材の端縁に沿って配置されるようにすれば、灯具保持部材５に形成された４つの枠に一体物のパネル部４が挿入されているような見た目とすることができる。
【００９５】
ここで、本実施形態では、締結部材９５の吊りパイプ６の外表面６ａに露出している部位（ボルトの頭部）が、側面視で横桟８により隠されるようにしている。さらに、横桟８を保持部６２に連設した状態で、横桟８とパネル部４とがＹ方向に突出する頂点部分で当接する、または、Ｙ方向に突出する頂点部分の間にわずかな隙間のみが形成されるようにしている。
【００９６】
そのため、照明装置１を天井Ｃ１に設置した状態で、吊りパイプ６の外表面６ａに露出するボルトの頭部よりも下方から照明装置１を見た場合には、ボルトの頭部は、横桟８の外表面８ａの裏側やパネル部４の外表面４ａの裏側に位置することになる。
【００９７】
例えば、照明装置１をＹ方向の外側から見上げた場合には、ボルトの頭部が横桟８の外表面８ａの裏側に位置することになる。また、照明装置１を真下から見上げた場合には、ボルトの頭部がパネル部４の外表面４ａの裏側に位置することになる。そして、Ｙ方向の外側から真下に向かう途中では、照明装置１を見上げた場合に、ボルトの頭部が横桟８の外表面８ａおよびパネル部４の外表面４ａの裏側に位置することになる。
【００９８】
このように、本実施形態では、吊りパイプ６の外表面６ａに露出するボルトの頭部は、このボルトの頭部よりも下方から見た場合に、灯具本体２の外表面２ａおよび灯具保持部材５の外表面５ａのうち少なくともいずれか一方の外表面によって隠されている。
【００９９】
さらに、灯具本体２により照射される部屋Ｓにおけるボルトの頭部よりも下側の任意の位置から見たとしても、灯具本体２の外表面２ａおよび灯具保持部材５の外表面５ａのうち少なくともいずれか一方の外表面によってボルトの頭部が隠されるようにしている。
【０１００】
また、本実施形態では、締結部材９６の吊りパイプ６の外表面６ａに露出している部位（ボルトの頭部）も、側面視で横桟８により隠されるようにしている。
【０１０１】
したがって、吊りパイプ６の外表面６ａに露出している締結部材９６のボルトの頭部も、このボルトの頭部よりも下方から見た場合に、灯具本体２の外表面２ａおよび灯具保持部材５の外表面５ａのうち少なくともいずれか一方の外表面によって隠されている。
【０１０２】
そして、上述の構成をした照明装置１は、例えば以下の方法により組み立てることができる。
【０１０３】
まず初めに、４つの吊りパイプ６をＸ方向に等間隔に離間した状態で配置する。このとき、横桟受け金具６２６が両方から突出している２つの吊りパイプ６が中央に配置する。そして、横桟受け金具６２６が一方のみから突出している２つの吊りパイプ６を両端に、横桟受け金具６２６が中央の吊りパイプ６に向けて突出するように配置する。
【０１０４】
また、４つの吊りパイプ６を配置した状態で、各吊りパイプ６には６つの横桟８が連結されるようにしている。具体的には、６つの横桟８のＸ方向両側に形成される収容凹部８１ａ内に、互いに対向する横桟受け金具６２６を挿入した状態で、４つの吊りパイプ６がＸ方向に並設されるようにする。なお、締結部材９６による締結は、このときに行ってもよいし、以下で説明するいずれかの工程と同時、または、いずれかの工程の後に行うようにしてもよい。
【０１０５】
次に、吊りパイプ６に灯具本体２を天井Ｃ１側（被設置部側）から支持させる（灯具本体支持工程）。
【０１０６】
この灯具本体２の吊りパイプ６への支持は、例えば、以下のようにして行うことができる。
【０１０７】
まず、３枚の下部パネル４１を、Ｘ方向で互いに隣り合う吊りパイプ６の間を架け渡すように、各吊りパイプ６の保持部に締結部材９４により固定する。
【０１０８】
次に、通線用パイプ３３をニップル３４により各吊りパイプ６の保持部６２に取り付ける。
【０１０９】
次に、ボックス受け金具３７の挿通孔３７ａに通線用パイプ３３の先端部を挿通させて、締結部材９２によりボックス受け金具３７を通線用パイプ３３に固定する。
【０１１０】
次に、隣り合うボックス受け金具３７の間を架け渡すようにボックス３５を配置し、締結部材９３によりボックス３５をボックス受け金具３７に固定する。
【０１１１】
次に、締結部材９０によりＬＥＤ３１が取り付けられた灯具台３６をボックス３５上に配置し、締結部材９１により灯具台３６をボックス３５に固定する。なお、締結部材９０によるＬＥＤ３１の灯具台３６への取り付けは、上述したいずれかの工程と同時、または、いずれかの工程よりも前に行うことができる。
【０１１２】
次に、３枚の下部パネル４１の上に、上部パネル４２をそれぞれ載置する。
【０１１３】
こうして、灯具本体２が吊りパイプ６に天井Ｃ１側（被設置部側）から支持されることになる。
【０１１４】
次に、吊りパイプ（支持部材）６に支持された灯具本体２を押さえ部材７によって天井Ｃ１側（被設置部側）から押さえる（灯具本体押さえ工程）。
【０１１５】
具体的には、押さえ部材７を下方に移動させる際に、１つの吊りパイプ６のＹ方向（幅方向）の両端に形成された押さえ部材受け金具６２４が、押さえ部材７のＹ方向（幅方向）の両端に形成された収容空間７１４内にそれぞれ収容されるようにする。そして、押さえ部材受け金具６２４の収容空間７１４内への収容を完成させる。こうすれば、灯具本体２の上部パネル４２が押さえ部材７によって移動が規制された状態で押さえられることになる。
【０１１６】
次に、灯具本体２を押さえ部材７によって天井Ｃ１側（被設置部側）から押さえた状態で、押さえ部材７を締結部材９５によって吊りパイプ（支持部材）６に取り付ける（押さえ部材取付工程）。
【０１１７】
こうして、上述の構成をした照明装置１が組み立てられる。
【０１１８】
そして、照明装置１を組み立てた状態では、パネル４の内部に閉じられた空間が形成されており、その閉じられた空間内に光源部３が配置されているように見せることができる。
【０１１９】
なお、上述した照明装置１の組立方法は一例に過ぎず、照明装置１は様々な方法で組み立てることができる。
【０１２０】
また、灯具保持部材５は、図１１に示す構成とすることもできる。
【０１２１】
図１１では、押さえ部材７の両端に、吊りパイプ６の保持部材６２に向けて、下方かつＹ方向の外側に突出する突部７１６が形成されている。
【０１２２】
一方、吊りパイプ６の保持部材６２には、突部７１６が挿入される収容凹部６２７が形成されている。そして、突部７１６は、保持部材６２の上壁６２１から収容凹部６２７内に挿入されるようになっている。
【０１２３】
また、突部７１６には挿通孔７１６ａが形成されており、突部７１６の収容凹部６２７内への挿入が完了した状態で、この挿通孔７１６ａが、保持部材６２の側壁６２３の収容凹部６２７側に形成された挿通孔６２７ｂと連通するようになっている。
【０１２４】
そして、挿通孔７１６ａと挿通孔６２７ｂとを連通させた状態で、ボルト、ナット等の締結部材９５によって締結することで、押さえ部材７を保持部６２に取り付けている。
【０１２５】
図１１では、締結部材９５を収容凹部６２７内に導入するための開口６２７ａが、対向壁６２５に形成されており、締結部材９５のボルトが開口６２７ａから収容凹部６２７内に導入されるようになっている。
【０１２６】
さらに、対向壁６２５における開口６２７ａを画成する上部内側の辺の上部には、隣り合う吊りパイプ６の対向壁６１５に向けて突出する板状の横桟受け金具６２６が形成されている。
【０１２７】
また、横桟受け金具６２６には挿通孔６２６ａが形成されており、この挿通孔６２６ａは、横桟受け金具６２６の下面に横桟８の内側上壁８４を当接させた状態で、内側上壁８４に形成された挿通孔８４ａと連通するようになっている。
【０１２８】
そして、挿通孔６２６ａと挿通孔８４ａとを連通させた状態で、ボルト、ナット等の締結部材９６によって締結することで、横桟８を保持部６２に連設している。このとき、開口６２７ａが横桟８によって塞がれるようにしている。
【０１２９】
こうすることで、締結部材９５が吊りパイプ６によって隠されるようにしている。また、図１１では、締結部材９６のボルトの頭部および横桟受け金具６２６が、露出している。しかしながら、図１１では、これらの部位は、内側上壁８４上で露出するようにしている。したがって、これらの部位は、これらの部位よりも下方から照明装置１を見た場合に、灯具本体２の外表面２ａおよび灯具保持部材５の外表面５ａのうち少なくともいずれか一方の外表面によって隠れるようになっている。
【０１３０】
なお、図１１に示す灯具保持部材５を用いて照明装置１を組み立てる場合には、横桟８の保持部６２への連設は、押さえ部材７を保持部６２に取り付けた後に行われる。
【０１３１】
以下では、上記実施形態およびその変形例で示した照明装置１および照明装置１の組立方法の特徴的構成およびそれにより得られる効果を説明する。
【０１３２】
照明装置１は、光源（ＬＥＤ）３１と、光源３１が内部に配置され、光源３１から照射される光の透過を許容しつつ外部からの内部の透視が抑制されるパネル部４と、を有する灯具本体２を備えている。
【０１３３】
また、照明装置１は、灯具本体２が保持された状態で被設置部（天井）Ｃ１に取り付けられる灯具保持部材５を備えている。
【０１３４】
この灯具保持部材５は、被設置部Ｃ１に取り付けられる取付部６１ａを有し、被設置部Ｃ１側から灯具本体２を支持する支持部材（吊りパイプ）６を備えている。
【０１３５】
また、灯具保持部材５は、支持部材６に取り付けられて、被設置部Ｃ１側から灯具本体２を押さえる押さえ部材７と、押さえ部材７を支持部材６に取り付ける締結部材９５と、を備えている。
【０１３６】
そして、灯具本体２が保持された灯具保持部材５（照明装置１）を、取付部６１ａが上側となるように配置した状態で、締結部材９５よりも下方から灯具本体２および灯具保持部材５を見た場合に、下記の状態となるようにしている。
【０１３７】
すなわち、締結部材９５が、灯具本体２の外表面２ａおよび灯具保持部材５の外表面５ａのうち少なくともいずれか一方の外表面によって隠されるようにしている。
【０１３８】
こうすれば、被設置部Ｃ１に取り付けた照明装置１を見上げたときに、締結部材９５が見えてしまうことが抑制され、照明装置１の意匠性をより向上させることができる。
【０１３９】
また、照明装置１を取付部６１ａが上側となるように配置した状態で、灯具本体２により照射される照射空間（部屋）Ｓにおける締結部材９５よりも下側の任意の位置から灯具本体２および灯具保持部材５を見た場合に、上記の状態となるようにしている。
【０１４０】
こうすれば、照射空間Ｓ内における締結部材９５よりも下側のいずれの位置から照明装置１を見た場合であっても、締結部材９５が見えてしまうことが抑制されるため、照明装置１の意匠性をより一層向上させることができる。
【０１４１】
また、支持部材６には、押さえ部材７に向けて突出する突部（押さえ部材受け金具）６２４が形成されている。また、押さえ部材７には、壁部により画成されて突部６２４が挿入される凹部（収容凹部）７１４が形成されている。また、突部６２４が凹部７１４内に挿入された状態で、凹部７１４が支持部材６の壁部によって隠されるようにしている。そして、凹部７１４を画成する壁部と突部６２４とが締結部材９５により締結されることで、押さえ部材７が支持部材６に取り付けられるようにしている。
【０１４２】
こうすれば、より簡素な構成で、照明装置１の意匠性を向上させることができるようになる。
【０１４３】
また、灯具保持部材５が、一方向（Ｘ方向）に延在して支持部材６に連結される連結部（横桟）８を備えている。
【０１４４】
こうすれば、連結部８によって締結部材９５を隠すことができるため、より確実に締結部材９５が見えてしまうことを抑制することができる。
【０１４５】
また、連結部８は、支持部材６とは別部材で形成されている。そして、灯具本体２が保持された灯具保持部材５を取付部６１ａが上側となるように配置した状態で、締結部材９５よりも下方から灯具本体２および灯具保持部材５を見た場合に、下記の状態となるようにしている。
【０１４６】
すなわち、連結部８と支持部材６との固定部（締結部材９６）が、灯具本体２の外表面２ａおよび灯具保持部材５の外表面５ａのうち少なくともいずれか一方の外表面によって隠されるようにしている。
【０１４７】
こうすれば、連結部８を支持部材６に連結する際に用いられる締結部材９６が見えてしまうことが抑制されるため、より容易に連結部８を支持部材６に連結させることができる上、照明装置１の意匠性をより一層向上させることができる。
【０１４８】
また、照明装置１は、一方向に離間した状態で配置される複数の支持部材６を備えており、１つの灯具本体２が被設置部Ｃ１側からそれぞれの支持部材６に支持されている。
【０１４９】
そして、複数の支持部材６のそれぞれに押さえ部材７が取り付けられており、連結部８が、一方向で互いに隣り合う支持部材６の間に連結されている。
【０１５０】
こうすれば、隣り合う支持部材６の間の全体に連結部８が存在することになり、より確実に連結部８によって締結部材９５を隠すことができるようになる。
【０１５１】
また、パネル部４が複数の部材に分割されており、灯具保持部材５を構成する部材がパネル部４を構成する複数の部材の端縁に沿って配置されている。
【０１５２】
こうすれば、複数の部材で形成されるパネル部４の境界部分を連結部８で隠すことができ、意匠性をより向上させることができる。
【０１５３】
また、パネル部４が、被設置部Ｃ１側から支持部材６に支持される第１パネル（下部パネル）４１と、被設置部Ｃ１側から第１パネル４１に載置されて、押さえ部材７により押さえられる第２パネル（上部パネル）４２と、を備えている。
【０１５４】
そして、一方向と交差する方向（Ｚ方向：上下方向）で対向する第１パネル４１の端縁（上端縁）４１１ｃと第２パネル４２の端縁（下端縁）４２１ｂとが、側面視で連結部８により隠されている。
【０１５５】
こうすれば、パネル部４が一方向と交差する方向に分割されていないように見せることができる。
【０１５６】
また、パネル部４が、一方向に並設される複数の第１パネル４１を備えており、第１パネル４１の一方向の端縁４１１ａが、裏面視で支持部材６により隠されている。
【０１５７】
こうすれば、パネル部４の第１パネル４１が一方向に分割されていないように見せることができる。
【０１５８】
また、パネル部４が、一方向に並設される複数の第２パネル４２を備えており、第２パネル４２の一方向の端縁４２１ａが、平面視で押さえ部材７により隠されている。
【０１５９】
こうすれば、パネル部４の第２パネル４２が一方向と交差する方向に分割されていないように見せることができる。
【０１６０】
また、パネル部４が、灯具保持部材５に保持された状態で灯具保持部材５よりも外側に突出する突出部（延設部）４１２を備えている。
【０１６１】
こうすれば、灯具保持部材５に形成された枠に一体物のパネル部４が挿入されているような見た目とすることが可能となる。
【０１６２】
また、突出部４１２が第１パネル４１に一体に形成されており、突出部４１２の一方向の端縁４１４ａが、平面視で押さえ部材７により隠されている。
【０１６３】
こうすれば、より確実に、灯具保持部材５に形成された枠に一体物のパネル部４が挿入されているような見た目とすることができるようになる。
【０１６４】
また、上述した構成の照明装置１の組立方法は、支持部材６に灯具本体２を被設置部Ｃ１側から支持する灯具本体支持工程を備えている。また、照明装置１の組立方法は、支持部材６に支持された灯具本体２を押さえ部材７によって被設置部Ｃ１側から押さえる灯具本体押さえ工程を備えている。そして、照明装置１の組立方法は、灯具本体２を押さえ部材７によって被設置部Ｃ１側から押さえた状態で、押さえ部材７を締結部材９５によって支持部材６に取り付ける押さえ部材取付工程を備えている。
【０１６５】
こうすれば、意匠性をより向上させることのできる照明装置１を組み立てることができるようになる。
【０１６６】
以上、本開示の好適な実施形態について説明したが、上記実施形態には限定されず、種々の変形が可能である。
【０１６７】
例えば、上記実施形態では、照明装置として、天井Ｃ１に設置される天井吊り下げ型の照明装置を例示したが、これに限定されるものではなく、例えば、部屋の側壁や床に設置する照明装置に本開示を適用することが可能である。
【０１６８】
また、上記実施形態では、ＬＥＤを光源として用いたものを例示したが、半導体光源等を用いることも可能である。
【０１６９】
また、灯具本体や灯具保持部材、その他細部のスペック（形状、大きさ、レイアウト等）も適宜に変更可能である。
【符号の説明】
【０１７０】
Ｃ１  天井（被設置部）
１  照明装置
２  灯具本体
２ａ  外表面
３１  ＬＥＤ（光源）
４  パネル部
４１  下部パネル（第１パネル）
４１１ａ  端縁
４１２  延設部（突出部）
４１４ｂ  端縁
４２  上部パネル（第２パネル）
４２１ａ  端縁
５  灯具保持部材
５ａ  外表面
６  吊りパイプ（支持部材）
６１ａ  取付部
６２４  押さえ部材受け金具（突部）
７  押さえ部材
７１４  収容凹部（凹部）
８  横桟（連結部）
９５  締結部材
９６  締結部材（固定部）
【図１】
2020140864.tif 000003
【図２】
2020140864.tif 000004
【図３】
2020140864.tif 000005
【図４】
2020140864.tif 000006
【図５】
2020140864.tif 000007
【図６】
2020140864.tif 000008
【図７】
2020140864.tif 000009
【図８】
2020140864.tif 000010
【図９】
2020140864.tif 000011
【図１０】
2020140864.tif 000012
【図１１】
2020140864.tif 000013